(57)【要約】      （修正有）【課題】目地部の幅寸法のほぼ半分の揺れ動きが生じても、目地カバーが前方へ突出したり、隙間が生じることのない壁面用目地カバー装置を得る。【解決手段】左右の壁面にヒンジ部材４を用いて取付けられた中央枢支部５を有する中央維持機構６と、この中央維持機構６の中央枢支部５に枢支された中央維持機構の両端部の枢支部間あるいはヒンジ部材４の枢支部間の２分の1より召し合せ寸法分だけ大きいチャンネル状の中央支持カバー１１と、一端部が一方のヒンジ部材４に固定され先端部が中央支持カバーの中央部の召し合せ部に位置する先端部が該中央支持カバー１１方向の傾斜面に形成された一方の目地カバー１４と、一端部が他方のヒンジ部材４に固定され先端部が中央支持カバーの中央部の召し合せ部に位置し一方の目地カバーの先端部１４と重なり合う他方の目地カバー１５とで壁面用目地カバー装置を構成している。【選択図】図２
2008267031.tif 000002
【特許請求の範囲】
【請求項１】
目地部を介して設けられた左右の建物の目地部側の左右の壁面に両端部が前後方向に回動するヒンジ部材を用いて取付けられた中央部に中央枢支部を有する少なくとも２個以上の中央維持機構と、この少なくとも２個以上の中央維持機構の中央枢支部に枢支された、該中央維持機構の両端部の枢支部間あるいは前記ヒンジ部材の枢支部間の２分の1より召し合せ寸法分だけ大きいチャンネル状の中央支持カバーと、一端部が一方のヒンジ部材に固定され、先端部が前記中央支持カバーの中央部の召し合せ部に位置する先端部が該中央支持カバー方向の傾斜面に形成された一方の目地カバーと、一端部が他方のヒンジ部材に固定され、先端部が前記中央支持カバーの中央部の召し合せ部に位置し、前記一方の目地カバーの先端部と重なり合う他方の目地カバーとからなることを特徴とする壁面用目地カバー装置。
【請求項２】
目地部を介して設けられた左右の建物の目地部側の左右の壁面に両端部が前後方向に回動するヒンジ部材を用いて取付けられた中央部に中央枢支部を有する少なくとも２個以上のパンタグラフ形状の中央維持機構と、この少なくとも２個以上の中央維持機構の中央枢支部に枢支されたチャンネル状の取付け金具を介して取付けられた、該中央維持機構の両端部の枢支部間あるいは前記ヒンジ部材の枢支部間の２分の1より召し合せ寸法分だけ大きいチャンネル状の中央支持カバーと、一端部が一方のヒンジ部材に固定され、先端部が前記中央支持カバーの中央部の召し合せ部に位置する先端部が、該中央支持カバー方向の傾斜面に形成された一方の目地カバーと、一端部が他方のヒンジ部材に固定され、先端部が前記中央支持カバーの中央部の召し合せ部に位置し、前記一方の目地カバーの先端部と重なり合う他方の目地カバーとからなることを特徴とする壁面用目地カバー装置。
【発明の詳細な説明】
【技術分野】
【０００１】
本発明は目地部を介して設けられた左右の建物の左右の壁面間を覆う壁面用目地カバー装置に関する。
【背景技術】
【０００２】
従来の壁面用目地カバー装置は目地部が広くなったり、狭くなった場合、目地部に隙間が生じた前方へ目地カバーが突出するような構成になっている。
【０００３】
このため、危険な状態になってしまうという欠点があった。
【特許文献１】特許第３４１３８１３号
【発明の開示】
【発明が解決しようとする課題】
【０００４】
本発明は以上のような従来の欠点に鑑み、目地部の幅寸法のほぼ半分の寸法分だけ広くなつたり、狭くなるような揺れ動きが生じても、目地カバーが前方へ突出することなく、隙間が生じることなく覆うことができる安全に使用することができる壁面用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の目地部側の左右の壁面に両端部が前後方向に回動するヒンジ部材を用いて取付けられた中央部に中央枢支部を有する少なくとも２個以上の中央維持機構と、この少なくとも２個以上の中央維持機構の中央枢支部に枢支された、該中央維持機構の両端部の枢支部間あるいは前記ヒンジ部材の枢支部間の２分の1より召し合せ寸法分だけ大きいチャンネル状の中央支持カバーと、一端部が一方のヒンジ部材に固定され、先端部が前記中央支持カバーの中央部の召し合せ部に位置する先端部が該中央支持カバー方向の傾斜面に形成された一方の目地カバーと、一端部が他方のヒンジ部材に固定され、先端部が前記中央支持カバーの中央部の召し合せ部に位置し、前記一方の目地カバーの先端部と重なり合う他方の目地カバーとで壁面用目地カバー装置を構成している。
【発明の効果】
【０００７】
以上の説明から明らかなように、本発明にあっては次に列挙する効果が得られる。
【０００８】
（１）目地部を介して設けられた左右の建物の目地部側の左右の壁面に両端部が前後方向に回動するヒンジ部材を用いて取付けられた中央部に中央枢支部を有する少なくとも２個以上の中央維持機構と、この少なくとも２個以上の中央維持機構の中央枢支部に枢支された、該中央維持機構の両端部の枢支部間あるいは前記ヒンジ部材の枢支部間の２分の1より召し合せ寸法分だけ大きいチャンネル状の中央支持カバーと、一端部が一方のヒンジ部材に固定され、先端部が前記中央支持カバーの中央部の召し合せ部に位置する先端部が該中央支持カバー方向の傾斜面に形成された一方の目地カバーと、一端部が他方のヒンジ部材に固定され、先端部が前記中央支持カバーの中央部の召し合せ部に位置し、前記一方の目地カバーの先端部と重なり合う他方の目地カバーとで構成されているので、目地部の幅寸法のほぼ半分の広くなったり、狭くなったりする揺れ動きを、目地部に隙間が生じることなく覆うことができる。
したがって、隙間が生じることがないので、安全に使用することができる。
【０００９】
（２）前記（１）によって、一方の目地カバーの先端部と他方の目地カバーの先端部とが重なり合っているので、目地部に大きな段差が生じることなく覆うことができる。
したがって、美観の向上を図ることができる。
【００１０】
（３）前記（１）によって、左右の建物が異なる前後方向に揺れ動いても、両端部のヒンジ部材によって、その揺れ動きを吸収することができる。
【００１１】
（４）請求項２も前記（１）〜（３）と同様な効果が得られるとともに、中央支持カバーの取付けが、取付け金具によって容易に行なうことができる。
【発明を実施するための最良の形態】
【００１２】
以下、図面に示す本発明を実施するための最良の形態により、本発明を詳細に説明する。
【００１３】
図１ないし図１０に示す本発明を実施するための最良の第１の形態において、１は目地部２を介して設けられた左右の建物３、３の目地部側の左右の壁面３ａ、３ａ間を覆うように取付けられた本発明の壁面用目地カバー装置で、この壁面用目地カバー装置１は前記左右の壁面３ａ、３ａに両端部が前後方向に回動するヒンジ部材４、４を用いて取付けられた中央部に中央枢支部５を有する少なくとも２個以上のパンタグラフ形状の中央維持機構６、６と、この少なくとも２個以上の中央維持機構６、６の中央枢支部５、５に枢支ピン７、７で枢支されたチャンネル状の取付け金具８、８に複数本のビス９によって取付けられた、該中央維持機構６、６のヒンジ部材４、４の枢支部間の２分の１より召し合せ寸法１０分だけ大きいチャンネル状の中央支持カバー１１と、一端部が一方のヒンジ部材４に複数本のビス１２で固定され、先端部が前記中央支持カバー１１の中央部の召し合せ部に位置する先端部が、該中央支持カバー１１方向の傾斜面１３に形成された一方の目地カバー１４と、一端部が他方のヒンジ部材４に複数本のビス１２で固定され、先端部が前記中央支持カバー１１の中央部の召し合せ部に位置し、前記一方の目地カバー１４の先端部と重なり合う他方の目地カバー１５と、前記一方の目地カバー１４の一端部と壁面３ａ間および、他方の目地カバー１５の一端部と壁面３ａ間をシールするシール剤１６、１６とで構成されている。
なお、３２は目地部２を覆う壁面用目地カバー装置１の内部に設けた防水ゴム材を用いた防水シートである。
【００１４】
前記中央維持機構６、６は図４に示すように、四角枠形状が２個のパンタグラフ形状のリンク本体１７と、このリンク本体１７の両端部の枢支部１８、１８に枢支ピン１９、１９で取付けられたアングル状の壁面への取付片２０、２０および目地カバー取付片２１、２１が一体形成されたヒンジ部材４、４とで構成されている。
【００１５】
前記一方の目地カバー１４は図６に示すように、板状の一方の目地カバー本体２２と、この一方の目地カバー本体２２の一端部に一体形成されたＬ字状の取付片２３と、前記一方の目地カバー本体２２の先端部に形成された召し合せ寸法１０のほぼ半分の寸法部より中央支持カバー１１方向へ折り曲げて形成した傾斜面１３とで構成されている。
【００１６】
前記他方の目地カバー１５は図７に示すように、板状の他方の目地カバー本体２４と、この他方の目地カバー本体２４の一端部に形成したＬ字状の取付片２５とで構成されている。
【００１７】
上記構成の壁面用目地カバー装置１は、通常時は図１および図２に示すように、一方の目地カバー１４の先端部の召し合せ寸法１０部位の平坦面と他方の目地カバー１５の先端部とは重なり合った状態となるとともに、一方の目地カバー１４および他方の目地カバー１５のほぼ中央部は中央支持カバー１１の両端部の支持部１１ａ、１１ａに支持された状態となっている。
【００１８】
目地部２が広くなるように左右の建物３、３が地震で異なる方向に揺れ動いた場合、図８に示すように中央維持機構６、６が伸長するとともに、中央支持カバー１１の中央部は目地部２の中央部に維持され、一方の目地カバー１４と他方の目地カバー１５は離れる方向に移動するが、目地部２は中央支持カバー１１、一方の目地カバー１４および他方の目地カバー１５によって、隙間なく覆われる。
目地部２が狭くなるように左右の建物３、３が地震で異なる方向に揺れ動いた場合、図９に示すように中央維持機構６、６は収縮するとともに、中央支持カバー１１の中央部は目地部２の中央部に維持され、一方の目地カバー１４と他方の目地カバー１５は重なった状態が大きくなる方向に移動して、中央支持カバー１１、一方の目地カバー１４および他方の目地カバー１５が重なったような状態となり、その揺れ動きを吸収する。
さらに、左右の建物３、３が異なる前後方向に地震で揺れ動いた場合に、図１０に示すように中央維持機構６、６の両端部のヒンジ部材４、４によって回動し、その揺れ動きを吸収する。
なお、目地部２が広くなったり、狭くなる揺れ動きや、異なる前後方向の揺れ動きが停止した場合には、自動的に元の状態へ戻る。
[発明を実施するための異なる形態]
【００１９】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１１ないし図１３に示す本発明を実施するための第２の形態において、前記本発明を実施するための最良の第１の形態と主に異なる点は、中央支持カバー１１Ａに中央維持機構６、６の中央枢支部５、５に皿ビス状の枢支ピン７Ａ、７Ａ  で枢支される皿孔２６、２６を形成し、中央維持機構６、６と中央支持カバー１１Ａとを皿ビス状の枢支ピン７Ａ、７Ａで直接枢支できるようにした点で、このように構成した壁面用目地カバー装置１Ａにしても、前記本発明を実施するための最良の第１の形態と同様な作用効果が得られる。
【００２１】
図１４ないし図１６に示す本発明を実施するための第３の形態において、前記本発明を実施するための最良の第１の形態と主に異なる点は、四角枠形状のリンク本体２７と、このリンク本体２７の対向するバー部材２７ａ、２７ａのほぼ中央部に両端部が枢支ピン２８、２８で枢支された中央に枢支部５が形成された中央板２９とからなる中央維持機構６Ａ、６Ａと、この中央維持機構６Ａ、６Ａの両端部のヒンジ部材４Ａ、４Ａの前後方向に回動する回動部材３０、３０に枢支ピン３１、３１で取付けるとともに、該枢支ピン３１、３１で一方の目地カバー１４、他方の目地カバー１５の一端部の取付片２３、２５を固定した点で、このように構成した壁面用目地カバー装置１Ｂにしても、前記本発明を実施するための最良の第１の形態と同様な作用効果が得られる。
【産業上の利用可能性】
【００２２】
本発明は壁面用目地カバー装置を製造する産業で利用される。
【図面の簡単な説明】
【００２３】
【図１】本発明を実施するための最良の第１の形態の正面図。
【図２】図１の２−２線に沿う拡大断面図。
【図３】図２の３−３線に沿う断面図。
【図４】本発明を実施するための最良の第１の形態の中央維持機構に取付け金具を取付けた状態の説明図。
【図５】本発明を実施するための最良の第１の形態の中央支持カバーの説明図。
【図６】本発明を実施するための最良の第１の形態の一方の目地カバーの説明図。
【図７】本発明を実施するための最良の第１の形態の他方の目地カバーの説明図。
【図８】本発明を実施するための最良の第１の形態の目地部が広くなった動作説明図。
【図９】本発明を実施するための最良の第１の形態の目地部が狭くなった動作説明図。
【図１０】本発明を実施するための最良の第１の形態の異なる前後方向の動作説明図。
【図１１】本発明を実施するための第２の形態の正面図。
【図１２】図１１の１２−１２線に沿う拡大断面図。
【図１３】本発明を実施するための第２の形態の中央維持機構に中央支持カバーの取付け状態の説明図。
【図１４】本発明を実施するための第３の形態の正面図。
【図１５】図１４の１５−１５線に沿う拡大断面図。
【図１６】本発明を実施するための第３の形態の中央維持機構の説明図。
【符号の説明】
【００２４】
１、１Ａ、１Ｂ：壁面用目地カバー装置、
２：目地部                                        ３：建物、
４：ヒンジ部材、                                      ５：中央枢支部、    
６、６Ａ：中央維持機構、                        ７、７Ａ：枢支ピン、
８：取付け金具、                            ９：ビス、
１０：召し合せ寸法、                    １１、１１Ａ：中央支持カバー、            
１２：ビス、                                                １３：傾斜面、
１４：一方の目地カバー、                        １５：他方の目地カバー、
１６：シール剤、                            １７：リンク本体、
１８：枢支部、                                １９：枢支ピン、
２０：取付片、                                ２１：目地カバー取付片、
２２：一方の目地カバー本体、    ２３：取付片、
２４：他方の目地カバー本体、    ２５：取付片、
２６：皿孔、                                                ２７：リンク本体、
２８：枢支ピン、                            ２９：中央板、
３０：回動部材、                            ３１：枢支ピン。
【図１】
2008267031.tif 000003
【図２】
2008267031.tif 000004
【図３】
2008267031.tif 000005
【図４】
2008267031.tif 000006
【図５】
2008267031.tif 000007
【図６】
2008267031.tif 000008
【図７】
2008267031.tif 000009
【図８】
2008267031.tif 000010
【図９】
2008267031.tif 000011
【図１０】
2008267031.tif 000012
【図１１】
2008267031.tif 000013
【図１２】
2008267031.tif 000014
【図１３】
2008267031.tif 000015
【図１４】
2008267031.tif 000016
【図１５】
2008267031.tif 000017
【図１６】
2008267031.tif 000018